(57)【要約】      （修正有）【課題】直線状に引き裂くことが可能な複合膜を提供する。【解決手段】複合膜５は、プラスチックフィルムａ１とプラスチックフィルムｂ２とからなり、プラスチックフィルムｂ２は１つの完全のプラスチックフィルムであり、プラスチックフィルムａ１と接着して複合膜ｃ５となり、プラスチックフィルムａ１には複数の切欠き１１１と間隔１１３とが直線状に並んでおり、切欠き１１１は一定の長さを有する線状の切欠き１１１であり、切欠き１１１の長さが間隔１１３の長さより長く、プラスチックフィルムａ１には切欠き１１１を有する直線１１が複数本で設けられる場合、直線１１同士が平行に配列され、複合膜ｃ５のエッジにはエッジ切欠き５１が設けられ、複合膜ｃ５を引き裂いて直線１１の切欠き１１１が位置した位置に達する。【選択図】図１
0003202090.tif 000002
【実用新案登録請求の範囲】
【請求項１】
引き裂かれて直線状になる可能な複合膜であって、プラスチックフィルムａとプラスチックフィルムｂとがからなり、プラスチックフィルムａには複数の切欠きと間隔とは均一に配列して構成した１本の直線を有し、切欠きは１本の一定の長さを有する直線であり、切欠きと切欠きとの間に切り開けない部分が間隔であり、切欠きの長さが間隔の長さより長く、
プラスチックフィルムａにおける切欠き付きの直線が複数本である時に、直線と直線との間に平行に配列し、複数のプラスチックフィルムａが１つの複合膜ａに合成する時に、個別に使用することができる複合膜であり、複合膜ａにおける切欠き付きの直線の間は平行に配列し、すなわち、各プラスチックフィルムａにおける切欠き付きの直線がずれて平行に配列して分布し、
プラスチックフィルムｂは１つの完全のプラスチックフィルムであり、プラスチックフィルムａと接着して複合膜ｃとなり、複合膜ｃのエッジにはエッジ切欠きが設けられ、複合膜ｃを引き裂いて直線の切欠きが位置した位置に達することを特徴とする引き裂かれて直線状になる可能な複合膜。
【請求項２】
プラスチックフィルムａとプラスチックフィルムｂとは構成した複合膜ｃは、エッジ切欠きにおいて１本の連続的に配列した切欠きである時に、複合膜ｃを引き裂いて直線の切欠きの位置に達することに便利することに用いられ、１本の連続的に配列したエッジ切欠きと複合膜ｃにおける切欠き付きの直線との間に一定の角度関係を有し、長さが必要に応じて?定することを特徴とする請求項１に記載の引き裂かれて直線状になる可能な複合膜。
【請求項３】
プラスチックフィルムａにおける直線の切欠きは１本の完全の切欠きであり、その間に何らかの間隔がなく、１本乃至平行した複数本であることを特徴とする請求項１に記載の引き裂かれて直線状になる可能な複合膜。
【請求項４】
プラスチックフィルムａにおける孔は水滴が滴下する時の側面の形状であり、かつ鋭い一端が広い円弧の一端に向け、連続的に配列して１本の直線を形成することを特徴とする請求項１に記載の引き裂かれて直線状になる可能な複合膜。
【請求項５】
プラスチックフィルムａは個々に基材として、そのほかの複合膜と接着し、新しい複合膜を構成することを特徴とする請求項１に記載の引き裂かれて直線状になる可能な複合膜。
【請求項６】
複数のプラスチックフィルムａは接着した後に、個別に使用する複合膜ａを形成し、見下ろすと、複合膜ａにおける各プラスチックフィルムａには切欠きを有し、孔の直線の間に平行を保持し、包装袋を作成した後に、袋のエッジにはエッジ切欠きが設けられ、複合膜ａが個々に基材として、そのほかのフィルム、アルミフィルム、用紙と接着し、新しい複合膜、袋を構成することを特徴とする請求項１に記載の引き裂かれて直線状になる可能な複合膜。
【請求項７】
プラスチックフィルムｂとそのほかの材質フィルム、アルミフィルム、用紙とは予め複合膜ｂを構成することができることを特徴とする請求項１に記載の引き裂かれて直線状になる可能な複合膜。
【請求項８】
プラスチックフィルムａにおいて連続的に配列したラインは直線、円弧、斜線、曲線であり、エッジ切欠きが１本の連続的に配列する切欠きである時に、連続的に配列する鋸歯形状、半円形式の波形であることを特徴とする請求項１に記載の引き裂かれて直線状になる可能な複合膜。
【請求項９】
複合膜ａ、複合膜ｃは新しい機能を有するフィルムとして、主な用途は各種の包装袋を作成することにあることを特徴とする請求項１に記載の引き裂かれて直線状になる可能な複合膜。
【考案の詳細な説明】
【技術分野】
【０００１】
本案は引き裂かれて直線状になる可能な複合膜に関する。
【背景技術】
【０００２】
従来、市場には多くの包装はプラスチックフィルムを採用して包装し、それが清潔であり、使用が便利である。最も新型の機能を有するのはＰＥジップロックバッグであり、それは包装を引き裂いた後に１本の直線になり、包装内の内側シールが繰り返して開閉することができる。このように、気密性がよく、食物の安全、清潔を保証する。しかし、その構成は内側シールを失うと、プラスチックフィルムを１本の直線に引き裂くことができない。それはＰＥジップロックバッグなどの製品または伝統な「一字形引き裂き」フィルムと比べると、機能アセンブリを増加する必要がなく、それと同時にシール性がよくて一体に結合し、従来の製品がアセンブリが必要であったり、シール製がない問題を克服する。インスタントラーメにおける複合膜構成に対して、１本の直線を引き裂くことができるが、袋が大きくなると、オフセットが生じる場合があり、ファイル中に記載の複合膜はより大きい袋に適用できる。  
【考案の概要】
【考案が解決しようとする課題】
【０００３】
本案の目的は、引き裂かれて直線状になる可能な複合膜を提供することにあり、複合膜自体が袋を作成することができ、そのほかの膜と複合して多くの機能を有する袋を作成することもできる。袋の袋口を引き裂くと、必ず１本の完全の直線になると同時に、よいシール性能を有する。
【課題を解決するための手段】
【０００４】
前記目的を実現するために、本案は以下の技術方案を提供する。引き裂かれて直線状になる可能な複合膜はプラスチックフィルムａとプラスチックフィルムｂとがからなり、プラスチックフィルムａには複数の切欠きと間隔とが均一に配列してなる１本の直線を有し、切欠きは一定の長さを有する直線であり、切欠きと切欠きとの間に切り開けない部分が間隔であり、切欠きの長さが間隔の長さより長い。
【０００５】
さらに、プラスチックフィルムａには切欠き付きの直線が複数本である時に、直線と直線との間は平行に配列する。
【０００６】
さらに、複数のプラスチックフィルムａが１つの複合膜ａに合成する時に、個別に使用可能な複合膜にある。
【０００７】
さらに、複合膜ａにおける切欠き付きの直線の間は平行に配列し、すなわち、各プラスチックフィルムａにおける切欠き付きの直線はずれて平行に配列して分布する。
【０００８】
さらに、プラスチックフィルムｂは１つの完全なプラスチックフィルムであり、プラスチックフィルムａと接着して複合膜ｃとなり、複合膜ｃのエッジにはエッジ切欠きを有し、複合膜ｃを引き裂いて直線の切欠きが位置した位置に達することに用いられる。
【０００９】
さらに、プラスチックフィルムａとプラスチックフィルムｂとがからなる複合膜ｃは、エッジ切欠きに１本の連続的に配列した切欠きである時に、複合膜ｃを引き裂いて直線の切欠きの位置に達することに便利であることに用いられる。
【００１０】
さらに、１本の連続的に配列したエッジ切欠きと複合膜ｃにおける切欠き付きの直線との間に一定の角度関係を有し、長さが必要に応じて設定する。
【００１１】
さらに、プラスチックフィルムａにおける直線の切欠きは１本の完成な切欠きである、その間に何らかの間隔を有せず、１本乃至平行した複数本である。
【００１２】
さらに、プラスチックフィルムａにおける孔は水滴が滴下する時の側面の形状であり、かつ鋭い一端が広い円弧の一端に向け、連続的に配列して１本の直線を形成する。
【００１３】
さらに、プラスチックフィルムａは個々に基材として、そのほかの複合膜と接着し、新しい複合膜を構成する。
【００１４】
さらに、複数のプラスチックフィルムａが接着した後に、個別に使用した複合膜ａを構成し、見下ろすと複合膜ａにおける各プラスチックフィルムａには、切欠き、孔付きの直線の間は平行に保持し、包装袋を作成した後に、袋のエッジにエッジ切欠きが設けられる。
【００１５】
さらに、複合膜ａは個々に基材として、そのほかのフィルム、アルミフィルム、用紙と接着し、新しい複合膜、袋を作成する。
【００１６】
さらに、プラスチックフィルムｂはそのほかの材質のフィルム、アルミフィルム、用紙と複合膜ｂを予め構成することができる。
【００１７】
さらに、プラスチックフィルムａにおいて連続的に配列したラインが直線、円弧、斜線、曲線である。
【００１８】
さらに、エッジ切欠きは１本の連続的に配列した切欠きである時に、連続的に配列した鋸歯形状、半円形式の波形である。
【００１９】
さらに、複合膜ａ、複合膜ｃは新しい機能を有するフィルムとして、主な用途は各種の包装袋を作成することにある。
【００２０】
さらに、前記直線は点線と考えられ、点線が切欠きを示し、点線と点線との間の部分が間隔である。
【００２１】
さらに、切欠き付きの直線はすべてのプラスチックフィルムａの範囲に接続する。
【００２２】
さらに、切欠き付きの直線は横方向配列と縦方向配列という２つの方式に分かられてもよい。
【００２３】
さらに、必要に応じて切欠き付きの直線は傾斜配列であってもよい。
【００２４】
さらに、切欠きは１本の直線であり、かつフィルム全体を切り抜け、貫通する。
【００２５】
さらに、間隔は切欠きがない部分であり、プラスチックフィルムａにおいて完全の一部である。
【００２６】
さらに、切欠きと間隔とは均一であり、かつ規則的に、順次に配列して分布する。
【００２７】
さらに、プラスチックフィルムａにおける切欠きと間隔との間は交替に配列して形成した１本の直線であり、かつ固定的な距離を有する。
【００２８】
さらに、プラスチックフィルムａにおける直線の間隔は接続だけに用いられ、長さが０.２〜３ｍｍの間にある。
【００２９】
さらに、プラスチックフィルムａは切欠き付きの直線の１つのプラスチックフィルムであってもよく、切欠き付きの直線の複数のプラスチックフィルムａからなる複合膜ａであってもよい。
【００３０】
さらに、プラスチックフィルムｂは１つのプラスチックフィルムｂであってもよく、プラスチックフィルム、アルミフィルム、用紙からなる複合膜ｂであってもよい。
【００３１】
さらに、複数のプラスチックフィルムａからなる複合膜ａは、各膜における１本または複数の直線が平行する。
【００３２】
さらに、複数のプラスチックフィルムａからなる複合膜ａは複数のフィルムが１つに接着して作成する。
【００３３】
さらに、複合膜ａにおける各プラスチックフィルムａの切欠き付きの直線はいずれも平行に配列する。
【００３４】
さらに、複数のプラスチックフィルムａにおける複数本の直線は、平行に分布した位置およびピッチが必要に応じて自動的に設定する。
【００３５】
さらに、複数のプラスチックフィルムａにおける複数本の直線は、平行に分布した位置およびピッチが小型包装において使用する時に、ピッチが固定値と設定される。
【００３６】
さらに、小型包装は風邪顆粒と類似した袋包装の製品である。
【００３７】
さらに、複数のプラスチックフィルムａからなる複合膜は加工プロセスの影響により、ラインが重なる状況を生じる可能性がある。
【００３８】
さらに、複合膜ｃは引き裂いたラインが１本の直線である。
【００３９】
さらに、複合膜ｃはさらに防水、防塵などの新しい機能を有し、シール性がよい。
【００４０】
さらに、複合膜ｃが熱収縮性フィルムの包装に用いられた時に、通常に、プラスチックフィルムａが製品の外壁に貼り合わせ、プラスチックフィルムｂが複合膜ｃの外壁である。
【００４１】
さらに、前記複合膜ａは個々に包装袋を作成することができる。
【００４２】
さらに、前記複合膜ａは１本の直線に引き裂かれる膜として使用することができる。
【００４３】
さらに、複合膜ａはそのほかのフィルムと接着した後に、さらに各種の包装袋を作成することができる。
【００４４】
さらに、複合膜ｃの主な用途は各種の包装袋を作成することにある。
【００４５】
さらに、エッジ切欠きが膜のエッジに位置し、通常に左上隅、右上隅および包装の頂部エッジに位置する。
【００４６】
さらに、１本の連続的に配列したエッジ切欠きとプラスチックフィルムにおける切欠き付きの直線との間の角度は、エッジ切欠きが直線より高く、切欠きが直線と等しく、切欠きが直線より低い角度関係である。
【００４７】
さらに、１本の連続的に配列したエッジ切欠きが左上隅に位置した時に、必要に応じて長さを設定する。
【００４８】
さらに、エッジ切欠きは切欠き付きの直線の角度に関わらず、引き裂くことにより切欠き付きの直線範囲内に入ることができる。
【００４９】
さらに、エッジ切欠きが引き裂いたプラスチックフィルムが１本の直線を形成することができず、１つの上へ、あるいは下への路線である。
【００５０】
さらに、エッジ切欠きは鋸歯形の切欠きであり、複合膜ｃを引き裂くことに便利である。
【００５１】
さらに、エッジ切欠きは半円形式の波形であり、半円が連続的に構成した配列であり、同様に複合膜ｃを引き裂くことに便利である。
【００５２】
さらに、エッジ切欠きと切欠き付きの直線は近接し、または重合する。
【００５３】
さらに、プラスチックフィルムはポリ塩化ビニル、ポリエチレン、ポリプロピレン、ポリスチレンおよびそのほかの樹脂などから作成したフィルムを含み、それと同時にアルミフィルム、紙フィルムなどを含む。
【００５４】
さらに、前記複合膜ａ、複合膜ｃの主な用途は各種の包装袋を作成することにある。
【００５５】
さらに、複合膜ａ、複合膜ｃは新しい機能材料膜として用いられる。
【考案の効果】
【００５６】
本案のよい効果は、引き裂かれて直線状になる可能な複合膜は構造を改良することで、フィルム自体又は作成した包装袋が引き裂かれる時に、引き裂き口は１本の直線の開口を形成してしまう。フィルムが作成した複合膜が自製の袋を実現することができ、そのほかのフィルムまたは複合膜と接着し、多くの機能を有する複合包装袋を作成し、多くの機能の要求を満足することができる。最も重要なことはそのシール性能がよく、伝統の類似した構成がシールすることができない問題を解決する。このような袋は、開けた時により美観であり、伝統の袋の開口が美観を損なう問題を解決することができる。さらに、過度に引き裂き、袋全体を引き裂き、内容物がどこでもまき散らすことを防止することができる。この機能膜はコストが低く、プロセスが簡単である。機械化大量生産を容易に実現することができ、よい市場での売れ行きが見込まれることにある。
【図面の簡単な説明】
【００５７】
【図１】本案の複合膜ｃの構成を模式的に示す図である。
【図２】本案の複合膜ｃの縦方向構成を模式的に示す図である。
【図３】本案の複合膜ａの側面構成を模式的に示す図である。
【図４】本案の複合膜ｃの側面構成を模式的に示す図である。
【図５】本案の複合膜ｃの構成を模式的に示す図である。
【図６】本案の複合膜ｃの縦方向構成を模式的に示す図である。
【図７】本案のプラスチックフィルムａの平面構成を模式的に示す図である。
【図８】本案のプラスチックフィルムｂの平面構成を模式的に示す図である。
【図９】本案の複合膜ａの平面構成を模式的に示す図である。
【図１０】本案の複合膜ａにおけるプラスチックフィルムａの１つの直線が平行してずれることを示す分解模式図である。
【図１１】本案の複合膜ａにおけるプラスチックフィルムａの他の直線が平行してずれることを示す分解模式図である。
【図１２】本案の複合膜ｂの構成を模式的に示す図である。
【図１３】本案の孔構成を模式的に示す図である。
【図１４】本案の立体構成を模式的に示す図である。
【考案を実施するための形態】
【００５８】
以下、図面および具体的な実施形態を参照しながら本案をさらに詳しく説明する。
【００５９】
図１〜１４に示すように、引き裂かれて直線状になる可能な複合膜は、プラスチックフィルムａ１とプラスチックフィルムｂ２とがからなり、プラスチックフィルムａ１には複数の切欠き１１１と間隔１１２とが均一に配列して構成する１本の直線１１を有し、切欠き１１１は１本の一定の長さを有する直線１１であり、切欠き１１１と切欠き１１１との間に切り開けない部分が間隔１１２であり、切欠き１１１の長さが間隔１１２の長さより長い。
【００６０】
プラスチックフィルムａ１における切欠き１１１付きの直線１１は複数本である時に、直線１１と直線１１との間は平行に配列し、複数のプラスチックフィルムａ１が複合膜ａ３を構成した時に、個別に用いられる複合膜を構成し、見下ろすと、複合膜ａ３における各プラスチックフィルムａ１は、切欠き１１１付きの直線１１の間が平行に配列する。
【００６１】
プラスチックフィルムｂ２は１つの完全のプラスチックフィルムであり、プラスチックフィルムａ１と接着して複合膜ｃ５となり、複合膜ｃ５のエッジにエッジ切欠き５１が設けられ、複合膜ｃ５を引き裂いて、直線１１の切欠き１１１が位置した位置に達することに用いられる。
【００６２】
使用時に、エッジ切欠き５１を引き裂くだけで、複合膜ａ３又は複合膜ｃ５に作成された包装袋６が引き裂かれる。複合膜ｃ５に作成された袋を使用する時に、エッジ切欠き５１を引き裂いた後に、自動的に最も近い１本の切欠き１１１付きの直線１１に接続し、従って、直線１１に沿って包装袋を引き裂く。引き裂き効果は１本の直線１１である。具体的には、複合膜ａ３が個々に包装材料として使用する時に、それが作成した包装袋において複数本の直線１１が平行に配列する。このように、エッジ切欠き３１が包装を引き裂く時に快速に直線１１の切欠き１１１位置に接続し、快速で、かつ１本の直線１１で外部の包装を引き裂くことに便利である。
【符号の説明】
【００６３】
１  プラスチックフィルムａ
１１  直線
１１１  切欠き
１１２  孔
１１３  間隔
２  プラスチックフィルムｂ
３  複合膜ａ
３１  エッジ切欠き
４  複合膜ｂ
５  複合膜ｃ
５１  エッジ切欠き
６  袋。
【図１】
0003202090.tif 000003
【図２】
0003202090.tif 000004
【図３】
0003202090.tif 000005
【図４】
0003202090.tif 000006
【図５】
0003202090.tif 000007
【図６】
0003202090.tif 000008
【図７】
0003202090.tif 000009
【図８】
0003202090.tif 000010
【図９】
0003202090.tif 000011
【図１０】
0003202090.tif 000012
【図１１】
0003202090.tif 000013
【図１２】
0003202090.tif 000014
【図１３】
0003202090.tif 000015
【図１４】
0003202090.tif 000016
【手続補正書】
【提出日】平成27年11月5日(2015.11.5)
【手続補正１】
【補正対象書類名】実用新案登録請求の範囲
【補正対象項目名】全文
【補正方法】変更
【補正の内容】
【実用新案登録請求の範囲】
【請求項１】
複合膜において、
前記複合膜は、プラスチックフィルムａとプラスチックフィルムｂとからなり、
前記プラスチックフィルムｂは１つの完全のプラスチックフィルムであり、前記プラスチックフィルムａと接着して複合膜ｃとなり、
前記プラスチックフィルムａには複数の切欠きと間隔とが直線状に並んでおり、切欠きは一定の長さを有する線状の切欠きであり、切欠きの長さが間隔の長さより長く、
前記プラスチックフィルムａには切欠きを有する直線が複数本で設けられる場合、前記直線同士が平行に配列され、
前記複合膜ｃのエッジにはエッジ切欠きが設けられ、複合膜ｃを引き裂いて直線の切欠きが位置した位置に達することを特徴とする複合膜。
【請求項２】
プラスチックフィルムａとプラスチックフィルムｂとが構成した複合膜ｃは、エッジ切欠きにおいて１本の連続的に配列した切欠きである時に、複合膜ｃを引き裂いて直線の切欠きの位置に達することに便利することに用いられ、１本の連続的に配列したエッジ切欠きと複合膜ｃにおける切欠き付きの直線との間に一定の角度関係を有し、長さが必要に応じて設定することを特徴とする請求項１に記載の複合膜。
【請求項３】
プラスチックフィルムａにおける直線の切欠きは１本の完全の切欠きであり、その間に何らかの間隔がなく、１本乃至平行した複数本であることを特徴とする請求項１に記載の複合膜。
【請求項４】
プラスチックフィルムａにおける孔は鋭い一端が広い円弧の一端に向け、連続的に配列して１本の直線を形成することを特徴とする請求項１に記載の複合膜。
【請求項５】
プラスチックフィルムａは個々に基材として、そのほかの複合膜と接着し、新しい複合膜を構成することを特徴とする請求項１に記載の複合膜。
【請求項６】
複数のプラスチックフィルムａは接着した後に、個別に使用する複合膜ａを形成し、見下ろすと、複合膜ａにおける各プラスチックフィルムａには切欠きを有し、切欠きの直線の間に平行を保持し、包装袋を作成した後に、袋のエッジにはエッジ切欠きが設けられ、複合膜ａが個々に基材として、プラスチックフィルム以外のフィルム、アルミフィルム、用紙と接着し、新しい複合膜、袋を構成することを特徴とする請求項１に記載の複合膜。
【請求項７】
プラスチックフィルムｂには、さらにプラスチックフィルム以外のフィルム、アルミフィルム、用紙の何れかを積層してなることができることを特徴とする請求項１に記載の複合膜。
【請求項８】
プラスチックフィルムａにおいて連続的に配列したラインは直線であり、エッジ切欠きが１本の連続的に配列する切欠きである時に、連続的に配列する鋸歯形状、半円形式の波形であることを特徴とする請求項１に記載の複合膜。
【請求項９】
複合膜ｃは新しい機能を有するフィルムとして、主な用途は各種の包装袋を作成することにあることを特徴とする請求項１に記載の複合膜。